(57)【要約】【課題】本発明は、手動で設定しなければならないビーコンありのアドホックか、ビーコンなしのアドホックかを自動的に切り替えられる無線ＬＡＮのアドホックモード切替方法を提供することを目的とする。【解決手段】本発明に係る無線ＬＡＮのアドホックモード切替方法によれば、初期設定時にサービスを提供する端末機の無線ＬＡＮをビーコンありアドホックモードとして設定する。そして、一定時間ビーコンありアドホックからの通信があるかを確認し、確認の応答がなかった場合はビーコンなしアドホックへ切り替える。よって、ビーコンありアドホックモードか、ビーコンなしアドホックモードかに自動的に切り替えることができる。【選択図】　　　　図１
2004023721.tif 000002
【特許請求の範囲】
【請求項１】
無線ＬＡＮを装着し、ビーコンや通信が可能なことを検出する機能を有する、サービスを提供する端末機と、無線ＬＡＮを装着してサービスを提供される端末機とで構築する無線ＬＡＮネットワークにおける無線ＬＡＮのアドホックモード切替方法において、
初期設定時にサービスを提供する端末機の無線ＬＡＮをビーコンありアドホックモードとして設定し、一定時間ビーコンありアドホックからの通信があるかを確認し、確認の応答がなかった場合はビーコンなしアドホックへ切り替えることを特徴とする無線ＬＡＮのアドホックモード切替方法。
【請求項２】
無線ＬＡＮを装着し、ビーコンや通信が可能なことを検出する機能を有する、サービスを提供する端末機と、無線ＬＡＮを装着してサービスを提供される端末機とで構築する無線ＬＡＮネットワークにおける無線ＬＡＮのアドホックモード切替方法において、
初期設定時にサービスを提供する端末機の無線ＬＡＮをビーコンなしアドホックモードとして設定し、一定時間ビーコンなしアドホックからの通信があるかを確認し、確認の応答がなかった場合はビーコンありアドホックへ切り替えることを特徴とする無線ＬＡＮのアドホックモード切替方法。
【請求項３】
無線ＬＡＮを装着し、ビーコンや通信が可能なことを検出する機能を有する、サービスを提供する端末機と、無線ＬＡＮを装着してサービスを提供される端末機とで構築する無線ＬＡＮネットワークにおける無線ＬＡＮのアドホックモード切替方法において、
サービスを提供する端末機を無線ＬＡＮのビーコンなしアドホックモードで動作させ、一定時間データ通信がないことを確認し、確認の応答がなかった場合はビーコンありアドホックに切り替え、更に一定時間通信していないと共にビーコンありアドホックで通信し、その後通信ができなくなった場合は再度ビーコンなしアドホックモードへ切り替えることを特徴とする無線ＬＡＮのアドホックモード切替方法。
【請求項４】
無線ＬＡＮを装着し、ビーコンや通信が可能なことを検出する機能を有する、サービスを提供する端末機と、無線ＬＡＮを装着してサービスを提供される端末機とで構築する無線ＬＡＮネットワークにおける無線ＬＡＮのアドホックモード切替方法において、
サービスを提供する端末機を無線ＬＡＮのビーコンありアドホックモードで動作し、一定時間ビーコン受信や通信ができないことを確認し、確認できた場合ビーコンなしアドホックモードに切り替え、更に一定時間通信していないと共にビーコンなしアドホックで通信し、その後通信ができなくなった場合は再度ビーコンありアドホックモードへ切り替えることを特徴とする無線ＬＡＮのアドホックモード切替方法。
【発明の詳細な説明】
【０００１】
【発明の属する技術分野】
本発明は無線ＬＡＮのアドホックモード切替方法に関し、詳細にはビーコンありアドホックモードとビーコンなしのアドホックモードの切り替えに関する。
【０００２】
【従来の技術】
無線ＬＡＮを構築する形態としては、一般的な無線ＬＡＮネットワークの構成図である図５に示すように、既存のＬＡＮ３００上に接続されサービスを提供する親局として機能するアクセスポイント１００と、当該アクセスポイント１００に同期して移動し、サービスを提供される子局として機能する端末機２００とを含んで構成されている。端末機２００はアクセスポイント１００を介して既存の有線ネットワークの固定端末１００と通信することが可能となっている。端末機は、無線で接続されるため、アクセスポイントと電波が届く範囲であれば自由に移動することが可能であり、また配線の煩雑さが解消されるなどのメリットを有している。そのため、建物内の同一フロアで複数の端末機をネットワーク接続するシステムに適用すれば、レイアウト変更などに伴う配線メンテナンスのコスト削減や端末機の移動による新しい業務形態に対応でき汎用性に優れ、期待されている。また、無線ＬＡＮのもう一つの形態として、一般的にアドホック（Ａｄｈｏｃ）ネットワークと呼ばれる端末機のみから構成されたネットワークがある。このアドホックモードのある無線ＬＡＮは、例えば会議などにおいて参加メンバーが持ち寄った端末機によりテンポラリーなネットワークが構築でき、注目されている。このアドホックネットワークは、ＩＥＥＥ８０２．１１で規定されたＩＢＳＳを基本としたネットワーク構成を採用しており、ＩＢＳＳの同期、通信を行うことでＬＡＮ間接続を可能としている。このＩＢＳＳでは、各局は互いに送出するフレームの同期を保つために、同期に必要な制御情報を含む制御用同期フレームとしてビーコンフレームを送出する。このビーコンフレームには、物理レイヤのベースハンドデータ方式及び搬送波変調方式等に加えて同期情報としてのビーコンフレーム送信時のタイムスタンプ、ビーコンインターバル等の情報が格納されている。
【０００３】
【発明が解決しようとする課題】
しかしながら、一方でビーコンを使用しないアドホックモードがある。ビーコンありアドホックモードとビーコンなしのアドホックモード間では、無線ＬＡＮの通信チャンネルを合わせても通信ができない。このため現在、手動でどちらかの設定を最初に選択し、運用するようになっており、運用に至る処理が煩雑となっている。
【０００４】
本発明はこれらの問題点を解決するためのものであり、手動で設定しなければならないビーコンありのアドホックか、ビーコンなしのアドホックかを自動的に選択できる無線ＬＡＮのアドホックモード切替方法を提供することを目的とする。
【０００５】
【課題を解決するための手段】
前記問題点を解決するために、本発明に係る無線ＬＡＮのアドホックモード切替方法によれば、初期設定時にサービスを提供する端末機の無線ＬＡＮをビーコンありアドホックモードとして設定する。そして、一定時間ビーコンありアドホックからの通信があるかを確認し、確認の応答がなかった場合はビーコンなしアドホックへ切り替える。よって、ビーコンありアドホックモードか、ビーコンなしアドホックモードかに自動的に切り替えることができる。
【０００６】
また、別の発明によれば、初期設定時にサービスを提供する端末機の無線ＬＡＮをビーコンなしアドホックモードとして設定し、一定時間ビーコンなしアドホックからの通信があるかを確認し、確認の応答がなかった場合はビーコンありアドホックへ切り替える。よって、ビーコンありアドホックモードか、ビーコンなしアドホックモードかに自動的に切り替えることができる。
【０００７】
更に、別の発明によれば、サービスを提供する端末機を無線ＬＡＮのビーコンなしアドホックモードで動作させ、一定時間データ通信がないことを確認し、確認の応答がなかった場合はビーコンありアドホックに切り替える。更に一定時間通信していないと共にビーコンありアドホックで通信し、その後通信ができなくなった場合は再度ビーコンなしアドホックモードへ切り替える。よって、ビーコンありアドホックモードか、ビーコンなしアドホックモードかに自動的に切り替えることができる。
【０００８】
また、別の発明によれば、サービスを提供する端末機を無線ＬＡＮのビーコンありアドホックモードで動作し、一定時間ビーコン受信や通信ができないことを確認し、確認できた場合ビーコンなしアドホックモードに切り替える。更に一定時間通信していないと共にビーコンなしアドホックで通信し、その後通信ができなくなった場合は再度ビーコンありアドホックモードへ切り替える。よって、ビーコンありアドホックモードか、ビーコンなしアドホックモードかに自動的に切り替えることができる。
【０００９】
【発明の実施の形態】
本発明に係る無線ＬＡＮのアドホックモード切替方法によれば、初期設定時にサービスを提供する端末機の無線ＬＡＮをビーコンありアドホックモードとして設定する。そして、一定時間ビーコンありアドホックからの通信があるかを確認し、確認の応答がなかった場合はビーコンなしアドホックへ切り替える。
【００１０】
【実施例】
図１は本発明の第１の実施例に係る無線ＬＡＮのアドホックモード切替方法の動作を示すフローチャートである。なお、ある特定のサービスを提供する端末機に無線ＬＡＮを装着して、アドホックモードで接続できるように設定する。また、サービスを提供される端末機も無線ＬＡＮが装着されている。このとき、サービスを提供する端末機と提供される端末機の無線ＬＡＮのチャンネルは、同一チャンネルに設定されている。
【００１１】
先ず、サービスを提供する端末機の無線ＬＡＮは、ビーコンありのアドホックモードで設定する（ステップＳ１０１）。このとき、サービスが提供される端末機の無線ＬＡＮからのビーコン又は通信を取得できたかを検出する（ステップＳ１０２）。検出した場合は、ビーコンありアドホックモードとして動作する（ステップＳ１０２；ＹＥＳ、ステップＳ１０３）。検出できない場合は、一定経過時間内にビーコンあるいは通信ができたか検出する（ステップＳ１０２；ＮＯ、ステップＳ１０４）。一定時間内に検出できない場合は、ビーコンなしのアドホックモードとして動作する（ステップＳ１０４；ＹＥＳ、ステップＳ１０５）。
【００１２】
図２は第２の実施例に係る無線ＬＡＮのアドホックモード切替方法の動作を示すフローチャートである。同図において、先ずサービスを提供する端末機の無線ＬＡＮは、ビーコンなしアドホックモードで設定する（ステップＳ２０１）。このとき、サービスが提供される端末機の無線ＬＡＮからの通信ができたかを検出する（ステップＳ２０２）。検出した場合は、ビーコンなしアドホックモードとして動作する（ステップＳ２０２；ＹＥＳ、ステップＳ２０３）。検出できない場合は、一定経過時間内に通信ができるかを検出する（ステップＳ２０２；ＮＯ、ステップＳ２０４）。一定時間内に検出できない場合は、ビーコンありアドホックモードとして動作する（ステップＳ２０４；ＹＥＳ、ステップＳ２０５）。
【００１３】
図３は第３の実施例に係る無線ＬＡＮのアドホックモード切替方法の動作を示すフローチャートである。同図において、先ずサービスを提供する端末機の無線ＬＡＮは、ビーコンありアドホックモードで設定する（ステップＳ３０１）。このとき、サービスを提供される端末機の無線ＬＡＮからのビーコン又は通信ができたかを検出する（ステップＳ３０２）。検出した場合は、ビーコンありアドホックモードとして動作する（ステップＳ３０２；ＹＥＳ、ステップＳ３０３）。検出できない場合は、一定経過時間内にビーコン又は通信ができるかを検出する（ステップＳ３０２；ＮＯ、ステップＳ３０４）。一定時間内に検出できない場合は、ビーコンなしのアドホックモードとして動作する（ステップＳ３０４；ＹＥＳ、ステップＳ３０５）。ここで、更に一定時間後、あるいはビーコンなしアドホックモードで通信が終了したことを検出してから、再度ビーコンありアドホックモードを設定する（ステップＳ３０６；ＹＥＳ、ステップＳ３０７；ＮＯ、ステップＳ３０１）。そして、ステップＳ３０２〜Ｓ３０７を行う。一方、通信あるいは、ビーコンを受信しなくなったことを検出した後にビーコンなしアドホックモードに切り替えて動作する（ステップＳ３０６；ＮＯ、ステップＳ３０７；ＹＥＳ、ステップＳ３０８）。
【００１４】
図４は第４の実施例に係る無線ＬＡＮのアドホックモード切替方法の動作を示すフローチャートである。同図において、先ずサービスを提供する端末機の無線ＬＡＮは、ビーコンなしアドホックモードで設定する（ステップＳ４０１）。このとき、サービスを提供される端末機の無線ＬＡＮからの通信ができたかを検出する（ステップＳ４０２）。検出した場合は、ビーコンなしアドホックモードとして動作する（ステップＳ４０２；ＹＥＳ、ステップＳ４０３）。検出できない場合は、一定経過時間内に通信ができるかを検出する（ステップＳ４０４）。一定時間内に検出できない場合は、ビーコンありアドホックモードとして動作する（ステップＳ４０４；ＹＥＳ、ステップＳ４０５）。ここで、更に一定時間後、あるいはビーコンありアドホックモードで通信が終了したことを検出してから、再度ビーコンなしアドホックモードを設定する（ステップＳ４０６；ＹＥＳ、ステップＳ４０７；ＮＯ、ステップＳ４０１）。そして、ステップＳ４０２〜Ｓ４０７を行う。一方、通信あるいは、ビーコンを受信しなくなったことを検出した後にビーコンありアドホックモードに切り替えて動作する（ステップＳ４０６；ＮＯ、ステップＳ４０７；ＹＥＳ、ステップＳ４０８）。
【００１５】
なお、本発明は上記実施例に限定されるものではなく、特許請求の範囲内の記載であれば多種の変形や置換可能であることは言うまでもない。
【００１６】
【発明の効果】
以上説明したように、本発明に係る無線ＬＡＮのアドホックモード切替方法によれば、初期設定時にサービスを提供する端末機の無線ＬＡＮをビーコンありアドホックモードとして設定する。そして、一定時間ビーコンありアドホックからの通信があるかを確認し、確認の応答がなかった場合はビーコンなしアドホックへ切り替える。よって、ビーコンありアドホックモードか、ビーコンなしアドホックモードかに自動的に切り替えることができる。
【００１７】
また、別の発明によれば、初期設定時にサービスを提供する端末機の無線ＬＡＮをビーコンなしアドホックモードとして設定し、一定時間ビーコンなしアドホックからの通信があるかを確認し、確認の応答がなかった場合はビーコンありアドホックへ切り替える。よって、ビーコンありアドホックモードか、ビーコンなしアドホックモードかに自動的に切り替えることができる。
【００１８】
更に、別の発明によれば、サービスを提供する端末機を無線ＬＡＮのビーコンなしアドホックモードで動作させ、一定時間データ通信がないことを確認し、確認の応答がなかった場合はビーコンありアドホックに切り替える。更に一定時間通信していないと共にビーコンありアドホックで通信し、その後通信ができなくなった場合は再度ビーコンなしアドホックモードへ切り替える。よって、ビーコンありアドホックモードか、ビーコンなしアドホックモードかに自動的に切り替えることができる。
【００１９】
また、別の発明によれば、サービスを提供する端末機を無線ＬＡＮのビーコンありアドホックモードで動作し、一定時間ビーコン受信や通信ができないことを確認し、確認できた場合ビーコンなしアドホックモードに切り替える。更に一定時間通信していないと共にビーコンなしアドホックで通信し、その後通信ができなくなった場合は再度ビーコンありアドホックモードへ切り替える。よって、ビーコンありアドホックモードか、ビーコンなしアドホックモードかに自動的に切り替えることができる。
【図面の簡単な説明】
【図１】本発明の第１の実施例に係る無線ＬＡＮのアドホックモード切替方法の動作を示すフローチャートである。
【図２】本発明の第２の実施例に係る無線ＬＡＮのアドホックモード切替方法の動作を示すフローチャートである。
【図３】本発明の第３の実施例に係る無線ＬＡＮのアドホックモード切替方法の動作を示すフローチャートである。
【図４】本発明の第４の実施例に係る無線ＬＡＮのアドホックモード切替方法の動作を示すフローチャートである。
【図５】一般的な無線ＬＡＮネットワークの構成図である。
【符号の説明】
１００；アクセスポイント、２００；端末機、３００；ＬＡＮ。
【図１】
2004023721.tif 000003
【図２】
2004023721.tif 000004
【図３】
2004023721.tif 000005
【図４】
2004023721.tif 000006
【図５】
2004023721.tif 000007